(57)【特許請求の範囲】
【請求項１】
互いに対向する二つのフランジを備えた柱部材を持ち上げるための柱持ち上げ用治具であって、
ベース部と、該ベース部の底面からの突出量が変化するように進退することが可能な進退部と、を備え、
前記ベース部は、該ベース部の前端側から前記二つのフランジの間に差し込まれて、前記二つのフランジの間に挟み込まれた状態で固定され、
前記進退部は、該進退部の進退方向における一端に向かうに連れて前記ベース部の前端に近付くように傾斜しており、前記柱部材が載置された載置面に前記一端が近付く向きに移動して前記突出量が増加することにより前記載置面を押圧することを特徴とする柱持ち上げ用治具。
【請求項２】
前記ベース部の前端は、前記ベース部の高さ方向に対して傾いた傾斜面をなしていることを特徴とする請求項１に記載の柱持ち上げ用治具。
【請求項３】
前記ベース部は、後壁と、前記ベース部の横幅方向において前記後壁の両脇に位置している二つの側壁と、を有し、
前記後壁及び前記二つの側壁は、同一の金属材料によって構成されており、且つ、一体化されていることを特徴とする請求項１又は２に記載の柱持ち上げ用治具。
【請求項４】
前記ベース部は、前記二つのフランジのうち、前記載置面に載置されたフランジを前記載置面に締結するための締結具が前記横幅方向において前記二つの側壁の間に配置された状態で、前記二つのフランジの間に挟み込まれていることを特徴とする請求項３に記載の柱持ち上げ用治具。
【請求項５】
前記柱部材が、前記二つのフランジのそれぞれと隣り合う位置に設けられた支持部にて外壁パネルを支持する構成において、
前記ベース部は、前記外壁パネルを前記支持部に支持させるために前記外壁パネルに取り付けられた支持部品が前記横幅方向において前記二つの側壁のうち、前記外壁パネルにより近い方の側壁と隣り合った状態で、前記二つのフランジの間に挟み込まれていることを特徴とする請求項３又は４に記載の柱持ち上げ用治具。
【請求項６】
前記ベース部は、前記ベース部の後端に取り付けられ、前記進退部を保持する保持部を備え、
前記進退部は、ボルトネジによって構成され、
前記保持部は、前記進退方向に沿って延出した長ナットによって構成されていることを特徴とする請求項１乃至５のいずれか一項に記載の柱持ち上げ用治具。
【請求項７】
互いに対向する二つのフランジを備えた柱部材を、柱持ち上げ用治具を用いて持ち上げる柱持ち上げ方法であって、
前記柱持ち上げ用治具が有するベース部を、該ベース部の前端側から前記二つのフランジの間に差し込んで、前記二つのフランジの間に挟み込まれた状態で固定することと、
前記柱持ち上げ用治具が有する進退部を、前記ベース部の底面からの突出量が変化するように進退させることと、
前記進退部の進退方向における一端が、前記柱部材が載置された載置面に近付く向きに前記進退部を移動させて前記突出量を増加させることにより、前記進退部の前記一端が前記載置面を押圧した際に前記二つのフランジ部の一方と前記ベース部との間に生じる反力によって、前記柱部材を持ち上げることと、を有し、
前記進退部を進退させる際には、前記一端に向かうに連れて前記ベース部の前端に近付くように傾斜した状態の前記進退部を進退させることを特徴とする柱持ち上げ方法。
【発明の詳細な説明】
【技術分野】
【０００１】
本発明は、柱持ち上げ用治具及び柱持ち上げ方法に係り、特に、互いに対向する二つのフランジを備えた柱部材を持ち上げるために利用される柱持ち上げ用治具及び柱持ち上げ方法に関する。
【背景技術】
【０００２】
建物の建設工事において、一度設置した柱部材の位置を再調整等するために当該柱部材を持ち上げることがある。その際に、柱部材に治具を取り付けて当該治具によって柱部材を持ち上げることは、既に知られている（例えば、特許文献１参照）。特許文献１に記載の治具は、柱部材の外周を取り囲むように取り付けられた状態で用いられ、当該治具の下面をジャッキによって上方に押圧される。これにより、柱部材が治具と共に上方に移動する（持ち上げられる）ようになる。
【先行技術文献】
【特許文献】
【０００３】
【特許文献１】特開２０００−１７０３９５号公報
【発明の概要】
【発明が解決しようとする課題】
【０００４】
ところで、柱部材の中には、図１に図示するように互いに対向する二つのフランジを備えたものが存在する。このような構造の柱部材を持ち上げる際には、当該構造に適した治具を利用することになるが、その場合には、柱部材に対する治具の取り付け状態を、柱を持ち上げるために必要な力（反力）が適切に得られるような状態で安定させる必要がある。
【０００５】
そこで、本発明は、上記の課題に鑑みてなされたものであり、その目的とするところは、互いに対向する二つのフランジを備えた柱部材を適切に持ち上げるための治具を提供することである。また、本発明の他の目的は、上記の柱部材を治具によって適切に持ち上げることが可能な方法を提供することである。
【課題を解決するための手段】
【０００６】
前記課題は、本発明の柱持ち上げ用治具によれば、互いに対向する二つのフランジを備えた柱部材を持ち上げるための柱持ち上げ用治具であって、ベース部と、該ベース部の底面からの突出量が変化するように進退することが可能な進退部と、を備え、前記ベース部は、該ベース部の前端側から前記二つのフランジの間に差し込まれて、前記二つのフランジの間に挟み込まれた状態で固定され、前記進退部は、該進退部の進退方向における一端に向かうに連れて前記ベース部の前端に近付くように傾斜しており、前記柱部材が載置される載置面に前記一端が近付く向きに移動して前記突出量が増加することにより前記載置面を押圧することで解決される。
【０００７】
上記のように構成された本発明の柱持ち上げ用治具では、柱部材に設けられた二つのフランジ部の間にベース部を挟み込んだ状態で当該ベース部を固定する。かかる状態で、ベース部の底面から突出している進退部の一端部（進退方向における一端部）の突出量が増加するように当該進退部を移動させる。そして、柱部材が載置された載置面に進退部の一端が近付く向きに進退部が移動して上記の突出量が増加すると、それによってフランジ部とベース部との間に反力が生じる。かかる反力を利用して柱部材が持ち上げるようになる。また、進退部は、その一端に向かうに連れてベース部の前端に近付くように傾斜している。これにより、進退部がその一端にて柱部材の載置面を押圧している間には、その状態（押圧状態）を良好に維持することが可能となる。この結果、柱部材を持ち上げている期間中、上記の反力が安定し、以て、柱部材を適切に持ち上げることが可能となる。
【０００８】
また、上記の構成において、前記ベース部の前端は、前記ベース部の高さ方向に対して傾いた傾斜面をなしていると、好適である。
上記の構成では、ベース部の前端がベース部の高さ方向に対して傾いた傾斜面となっているので、ベース部の前端がベース部の高さ方向に沿っている場合に比較して、ベース部を柱部材におけるフランジ間のスペース内に差し込み易くなる。
【０００９】
また、上記の構成において、前記ベース部は、後壁と、前記ベース部の横幅方向において前記後壁の両脇に位置している二つの側壁と、を有し、前記後壁及び前記二つの側壁は、同一の金属材料によって構成されており、且つ、一体化されていると、より好適である。
上記の構成では、ベース部の各部（具体的には、後壁と二つの側壁）が同一の金属材料によって構成されており、かつ、一体化されている。分かり易く説明すると、ベース部の後壁及び二つの側壁は、Ｕ字状となるように金属材料を成形することで構成されている。これにより、ベース部の構造がよりシンプルなものとなり、また、ベース部の剛性を確保し易くなる。
【００１０】
また、上記の構成において、前記ベース部は、前記二つのフランジのうち、前記載置面に載置されたフランジを前記載置面に締結するための締結具が前記横幅方向において前記二つの側壁の間に配置された状態で、前記二つのフランジの間に挟み込まれていると、更に好適である。
上記の構成では、ベース部が二つのフランジの間に挟み込まれた状態にあるとき、一方のフランジを柱部材の載置面に対して締結するための締結具が、ベース部の横幅方向において当該ベース部の側壁の間に位置するようになる。これにより、上記の締結具とベース部との干渉を避けつつ、ベース部を二つのフランジの間に挟み込むことが可能となる。
【００１１】
また、上記の構成において、前記柱部材が、前記二つのフランジのそれぞれと隣り合う位置に設けられた支持部にて外壁パネルを支持する構成において、前記ベース部は、前記外壁パネルを前記支持部に支持させるために前記外壁パネルに取り付けられた支持部品が前記横幅方向において前記二つの側壁のうち、前記外壁パネルにより近い方の側壁と隣り合った状態で、前記二つのフランジの間に挟み込まれていると、より一層好適である。
上記の構成では、ベース部が二つのフランジの間に挟み込まれた状態にあるとき、外壁パネルを柱部材の支持部に支持させるために当該外壁パネルに取り付けられた支持部品が、ベース部の横幅方向において当該ベース部の側壁（厳密には、外壁パネルにより近い方の側壁）と隣り合っている。これにより、上記の支持部品とベース部との干渉を避けつつ、ベース部を二つのフランジの間に挟み込むことが可能となる。
【００１２】
また、上記の構成において、前記ベース部は、前記ベース部の後端に取り付けられ、前記進退部を保持する保持部を備え、前記進退部は、ボルトネジによって構成され、前記保持部は、前記進退方向に沿って延出した長ナットによって構成されていると、尚一層好適である。
上記の構成では、進退部がボルトネジによって構成されており、当該ボルトネジが長ナットによって保持されている。かかる構成であれば、進退部をよりシンプルな構造とすると共に、当該進退部を構成するボルトネジの座屈を抑制することが可能となる。
【００１３】
また、前述の課題は、本発明の柱持ち上げ方法によれば、互いに対向する二つのフランジを備えた柱部材を、柱持ち上げ用治具を用いて持ち上げる柱持ち上げ方法であって、（Ａ）前記柱持ち上げ用治具が有するベース部を、該ベース部の前端側から前記二つのフランジの間に差し込んで、前記二つのフランジの間に挟み込まれた状態で固定することと、（Ｂ）前記柱持ち上げ用治具が有する進退部を、前記ベース部の底面からの突出量が変化するように進退させることと、（Ｃ）前記進退部の進退方向における一端が、前記柱部材が載置された載置面に近付く向きに前記進退部を移動させて前記突出量を増加させることにより、前記進退部の前記一端が前記載置面を押圧した際に前記二つのフランジ部の一方と前記ベース部との間に生じる反力によって、前記柱部材を持ち上げることと、を有し、（Ｄ）前記進退部を進退させる際には、前記一端に向かうに連れて前記ベース部の前端に近付くように傾斜した状態の前記進退部を進退させることにより解決される。
上記の方法によれば、互いに対向する二つのフランジを備えた柱部材を、適切に持ち上げることが可能となる。
【発明の効果】
【００１４】
本発明によれば、互いに対向する二つのフランジを備えた柱部材に適した治具を提供し、当該治具を用いて上記の柱部材を適切に持ち上げることが可能になる。
【図面の簡単な説明】
【００１５】
【図１】持ち上げられる柱部材、及びその周辺を示す模式図である。
【図２】本発明の一実施形態に係る柱持ち上げ用治具を側方から見たときの図である。
【図３】本発明の一実施形態に係る柱持ち上げ用治具を下方から見たときの図である。
【図４】本発明の一実施形態に係る柱持ち上げ用治具を柱部材に取り付ける様子を示した図である。
【図５】本発明の一実施形態に係る柱持ち上げ用治具が柱部材に取り付けられている状態を示す図である（その１）。
【図６】本発明の一実施形態に係る柱持ち上げ用治具が柱部材に取り付けられている状態を示す図である（その２）。
【図７】従来の柱持ち上げ用治具を示す図である。
【発明を実施するための形態】
【００１６】
以下では、本発明の一実施形態（本実施形態）に係る柱持ち上げ用治具、及び当該治具を用いた柱持ち上げ方法について説明することとする。なお、以下に説明する実施形態は、本発明の理解を容易にするための一例であり、本発明を限定するものではない。すなわち、本発明は、その趣旨を逸脱することなく、変更、改良され得ると共に、本発明にはその等価物が含まれることは勿論である。
【００１７】
先ず、本実施形態に係る柱持ち上げ用治具及び柱持ち上げ方法について説明するにあたり、持ち上げられる柱部材（以下、対象柱１０）について図１を参照しながら説明する。図１は、対象柱１０及びその周辺を示す模式的に示す立面図である。
【００１８】
対象柱１０は、複数階の住宅の躯体を構成するものであり、厳密には、より上方の階（具体的には、２階以上の階）に配置される鉄骨柱である。また、対象柱１０は、同じ階に位置する梁部材２０（例えば、胴差）の上に載置されている。より詳しく説明すると、梁部材２０は、Ｈ形鋼からなり、上下に並んで互いに対向する二つのフランジ（以下、上側梁フランジ２１及び下側梁フランジ２２）と、フランジ間に位置するウェブ（以下、梁ウェブ２３）とを有する。そして、対象柱１０は、上側梁フランジ２１の上面に載置されている。すなわち、上側梁フランジ２１の上面は、対象柱１０が載置された載置面に相当する。
【００１９】
また、対象柱１０は、図１に示すようにＨ形鋼からなる下端部１２を備えている。この下端部１２は、上下方向に並んで互いに対向する二つのフランジ（以下、上側柱フランジ１３及び下側柱フランジ１４）と、フランジ間に位置するウェブ（以下、柱ウェブ１５）とを有する。また、下端部１２は、その直上位置にある柱本体１１が上側柱フランジ１３にて溶接されることで当該柱本体１１に接合されている。また、下端部１２の下側柱フランジ１４は、上側梁フランジ２１の上面に載った状態で当該上側梁フランジ２１にボルト１７（締結具に相当）によって締結されている。
【００２０】
また、対象柱１０及び梁部材２０は、住宅の外壁を構成する外壁パネルを支持する機能を備えている。具体的に説明すると、住宅の外壁を構成する外壁パネルは、鉛直方向において複数並べて配置される。対象柱１０は、上下方向において隣り合う２つの外壁パネルのうち、より上方の外壁パネル（以下、上方パネルＰｕ）を支持し、梁部材２０は、より下方の外壁パネル（以下、下方パネルＰｌ）を支持している。
【００２１】
対象柱１０及び梁部材２０の各々における外壁パネルの支持構造について説明すると、対象柱１０の下端部１２は、上方パネルＰｕの裏面と対向する位置に設けられたパネル取り付けプレート１６を有する。このパネル取り付けプレート１６は、支持部に相当し、図１に示すように、上側柱フランジ１３及び下側柱フランジ１４の各々と隣り合う位置に設けられている。また、パネル取り付けプレート１６には、比較的大径となった円穴が形成されている。この円穴に上方パネルＰｕの裏面から突出したフックボルト１８（支持部品に相当）の頂部が挿入された後に上方パネルＰｕが自重落下すると、フックボルト１８が上記の円穴の縁部に係合するようになる。これにより、上方パネルＰｕの下端部が対象柱１０によって支持されるようになる。
【００２２】
なお、上方パネルＰｕの上端部は、不図示の固定機構によって対象柱１０の上端部に固定されている。つまり、上方パネルＰｕの上端部及び下端部は、いずれも対象柱１０によって支持されていることになる。
【００２３】
一方で、梁部材２０は、図１に示すように、下方パネルＰｌ法面と対向する位置に設けられたパネル固定プレート２４を有する。このパネル固定プレート２４は、上側梁フランジ２１及び下側梁フランジ２２の各々と隣り合う位置に設けられている。また、パネル固定プレート２４には、複数のボルト穴（図１では、図示を簡略化するため１個のみ図示）が形成されている。そして、それぞれのボルト穴に挿入された固定ボルト２５によって下方パネルＰｌがパネル固定プレート２４に固定される。これにより、下方パネルＰｌの上端部が梁部材２０によって固定支持されるようになる。
【００２４】
ところで、上方パネルＰｕ及び下方パネルＰｌは、上下方向においてパネル間に隙間（所謂、横目地）が形成された状態で対象柱１０や梁部材２０に支持されている。そして、上述した構成においてパネル間の隙間を上下方向に広げる場合には、梁部材２０に固定支持された下方パネルＰｌを動かすことができないため、上方パネルＰｕを上方に動かすことになる。ここで、上方パネルＰｕが対象柱１０に支持されているため、当該上方パネルＰｕを上方に動かすためには、対象柱１０を上方パネルＰｕと共に持ち上げることになる。その上で、対象柱１０とその載置面との間、具体的には下側柱フランジ１４の下面と上側梁フランジ２１の上面との間にスペーサ（不図示）を介在させる。この結果、パネル間の隙間が当該スペーサの厚み分だけ広げられるようになる。
【００２５】
そして、対象柱１０を持ち上げるにあたり、本実施形態に係る柱持ち上げ用治具（以下、本治具１）を用意して対象柱１０に取り付ける。そして、対象柱１０に取り付けられた状態の本治具１を操作することにより、対象柱１０が持ち上げるようになる。以下では、本治具１の構成及びその利用方法について詳しく説明することとする。
【００２６】
先ず、本治具１の構成について図２及び３を参照しながら説明する。図２及び３は、本治具１を示す図であり、図２は、本治具１を側方から見たときの図であり、図３は、下方から見たときの図である。なお、図２では、本治具１の前後方向を矢印にて図示しており、図３では、後述するベース部２の横幅方向を矢印にて図示している。
【００２７】
本治具１は、作業者（本治具１のユーザ）が把持可能なサイズとなっており、図２に図示の外形形状をなしている。本治具１は、同図に示すように、ベース部２と保持部３と進退部４とを有している。また、本治具１は、図２に図示したようにベース部２の高さ方向が上下方向（鉛直方向）に沿った状態で用いられる。つまり、本治具１は、ベース部２の底面が下方を向き、ベース部２の頂面が上方を向いた状態で利用される。
【００２８】
ベース部２は、本治具１中、対象柱１０に取り付けられる部分である。このベース部２は、比較的背高に形成されており、上側柱フランジ１３及び下側柱フランジ１４の間隔と略等しい高さを有している。また、ベース部２は、側方視では図２に示すように平行四辺形状となっており、下方から見たときには図３に示すように略Ｕ字状となっている。具体的に説明すると、ベース部２は、図３に示すように、後壁２ａと、ベース部２の横幅方向において後壁２ａの両脇に位置している二つの側壁２ｂとを有している。
【００２９】
そして、後壁２ａ及び二つの側壁２ｂは、同一の金属材料（鋼材）によって構成されており、且つ、一体化されている。より詳細に説明すると、後壁２ａ及び二つの側壁２ｂは、比較的厚肉な平板鋼材からなり、当該平板鋼材をＵ字状に加工成形することで構成されている。
【００３０】
また、二つの側壁２ｂのそれぞれの前端面は、ベース部２の前端に位置し、本実施形態ではベース部２の高さ方向（上下方向）に対して傾斜している。より厳密に説明すると、各側壁２ｂの前端面は、図２に示すように下方に向かうほど前側に位置するように傾いた傾斜面となっている。なお、二つの側壁２ｂの前側部分は、互いに離間しており、換言すると、ベース部２の前端は、開口端となっている。
【００３１】
後壁２ａは、側壁２ｂの前端面と略同じ傾斜角度だけベース部２の高さ方向に対して傾斜した状態でベース部２中に設けられている。そして、後壁２ａの後面には保持部３が溶接にて接合されている。保持部３は、本治具１中、進退部４を保持する部分である。この保持部３は、長ナットにより構成されており、後壁２ａの後面に沿わせた状態で当該後面に接合されている。つまり、保持部３についても、側壁２ｂの前端面と略同じ傾斜角度だけベース部２の高さ方向に対して傾斜した状態でベース部２に取り付けられている。また、図２に示すように、保持部３の下端（延出方向一端）は、ベース部２の底面よりもやや上方に位置し、保持部３の上端（延出方向他端）は、ベース部２の頂面よりも幾分下方に位置している。
【００３２】
進退部４は、本治具１中、ベース部２の底面からの突出量が変化するように進退することが可能な部分である。この進退部４は、ボルトネジによって構成されており、保持部３に形成されたネジ孔に螺合されており、当該ネジ孔の延出方向（すなわち、保持部３の延出方向）に沿って進退する。つまり、進退部４の進退方向（図２中、記号Ｒが付された方向）は、保持部３の延出方向に沿っている。
【００３３】
また、進退部４は、その中心軸が保持部３と略同じ傾斜角度だけベース部２の高さ方向に対して傾斜した状態で保持部３に保持されている。つまり、本実施形態において進退部４は、その進退方向における一端（分かり易くは、進退部４の先端）に向かうに連れてベース部２の前端に近付くように傾斜した状態で本治具１中に設けられている。
【００３４】
以上までに本治具１の構成について説明したが、上述した本治具１各部の形状、寸法及び材質は、あくまでも一例であり、本発明が奏する効果が得られる範囲内で自由に設定することが可能である。
【００３５】
次に、本治具１の使用方法、すなわち、本治具１を用いて対象柱１０を持ち上げる方法について説明する。なお、以下に説明する方法は、本発明の柱持ち上げ方法に相当する。対象柱１０を持ち上げるに際し、作業者は、本治具１を把持している手を対象柱１０の下端部１２に近づけ、その後に当該下端部１２に本治具１を取り付ける。かかる工程について図４を参照しながら詳細に説明する。図４は、本治具１を対象柱１０に取り付ける様子を当該対象柱１０の上方から見たときの図である。
【００３６】
対象柱１０と同じ階に配置された床パネル３０と、対象柱１０が支持する外壁パネル（厳密には、上方パネルＰｕ）との間には開口が形成されている。作業者は、当該開口を通じて対象柱１０の下端部１２にアクセスする。つまり、作業者は、図４に示すように本治具１を把持した手を上記の開口に入れた後、その手を同図中の矢印方向に動かす。
【００３７】
なお、床パネル３０と上方パネルＰｕとの間に形成されている開口は、一般的に幅狭になっている。このため、本治具１のサイズ（特に、ベース部２の横幅）については、上記の開口にスムーズに入れられる大きさであるとよい。
【００３８】
そして、作業者は、本治具１中のベース部２を、当該ベース部２の前端側からフランジ間スペースＳ内に差し込む。ここで、フランジ間スペースＳとは、上側柱フランジ１３と下側柱フランジ１４との間に形成されたスペースであり、より厳密には各フランジの外側半分の部分と柱ウェブ１５とパネル取り付けプレート１６とによって囲まれる空間である。
【００３９】
なお、本実施形態では、ベース部２の前端が当該ベース部の高さ方向（上下方向）に対して傾いた傾斜面となっているため、ベース部２をその前端からフランジ間スペースＳ内に差し込む際には比較的スムーズに差し込むことが可能である。
【００４０】
そして、ベース部２をその前後方向中途位置までフランジ間スペースＳ内に差し込むことにより、当該ベース部２がフランジ間スペースＳ内で固定されるようになる。かかる状態において、ベース部２は、図５に示すように、上下方向において上側柱フランジ１３及び下側柱フランジ１４の間に挟み込まれている。つまり、ベース部２がフランジ間スペースＳ内で固定された状態では、同図に示すように、ベース部２の頂面（上端面）が上側柱フランジ１３の下面に当接しており、ベース部２の底面（下端面）が下側柱フランジ１４の上面に当接している。図５は、ベース部２がフランジ間スペースＳに固定されている状態を側方から見たときの図である。
【００４１】
以上のようにベース部２が上側柱フランジ１３及び下側柱フランジ１４の間に挟み込まれた状態で固定されることにより、本治具１が対象柱１０の下端部１２に取り付けられる。なお、本治具１が対象柱１０の下端部１２に取り付けられた状態では、図６に示すように、下側柱フランジ１４を上側梁フランジ２１に締結しているボルト１７の先端部（厳密には、下側柱フランジ１４から突き出た部分）が、ベース部２の横幅方向において当該ベース部２が有する二つの側壁２ｂの間に位置している。図６は、ベース部２がフランジ間スペースＳに固定されている状態を、図５中の矢視Ａ方向から見たときの図である。
【００４２】
つまり、ベース部２は、上記のボルト１７の先端部がベース部２の横幅方向において二つの側壁２ｂの間に配置された状態でフランジ間スペースＳ内に固定されている。このような構成により、上記のボルト１７とベース部２との干渉を避けながら当該ベース部２をフランジ間スペースＳ内に固定することが可能となる。
【００４３】
また、本治具１が対象柱１０の下端部１２に取り付けられた状態では、図６に示すように、上方パネルＰｕから延出して対象柱１０のパネル取り付けプレート１６の円穴に係合しているフックボルト１８の頂部が、ベース部２の横幅方向において当該ベース部２が有する二つの側壁２ｂのうち、上方パネルＰｕにより近い方の側壁２ｂと隣り合っている。
【００４４】
つまり、ベース部２は、上記のフックボルト１８の頂部がベース部２の横幅方向において上方パネルＰｕにより近い方の側壁２ｂと隣り合った状態でフランジ間スペースＳ内に固定されている。このような構成により、上記のフックボルト１８の頂部とベース部２との干渉を避けながら当該ベース部２をフランジ間スペースＳ内に固定することが可能となる。以上のように、本実施形態に係るベース部２は、上記のボルト１７やフックボルト１８との干渉を避けながらフランジ間スペースＳに固定するのに適した形状及びサイズとなっている。
【００４５】
本治具１の使用方法の説明に戻ると、ベース部２をフランジ間スペースＳ内に固定した後、作業者は、所定の工具を用いて進退部４を操作して当該進退部４を進退させる。より具体的に説明すると、進退部４の先端部４ａにおけるベース部２の底面からの突出量が増加するように進退部４を進退（厳密には下方に向かって進行）させる。
【００４６】
なお、本実施形態では、進退部４がベース部２の高さ方向に対して傾いた状態で進退することになっている。より詳しく説明すると、本実施形態において進退部４を進退させる際には、先端に向かうに連れてベース部２の前端に近付くように傾斜した状態にある進退部４を、当該傾斜方向に沿って進退させることになる。
【００４７】
進退部４の進退動作（厳密には、下方への進行動作）により、進退部４の先端（一端）が上側梁フランジ２１の上面に徐々に近づき、やがて上側梁フランジ２１の上面に載置された養生プレートｔに当接するようになる。かかる状態において進退部４を操作して上記の突出量を更に増加させると、進退部４の先端が養生プレートｔを介して上側梁フランジ２１の上面を押圧するようになる。そして、進退部４の先端が上側梁フランジ２１の上面を押圧すると、これに伴って、上側柱フランジ１３の下面とベース部２の頂面との間に反力（図５中、記号Ｆにて示す力）が生じる。この反力Ｆによって上側柱フランジ１３が上方に押し上げられる結果、対象柱１０全体が持ち上がるようになる。
【００４８】
なお、本実施形態では、進退部４の先端部が養生プレートｔに当接し、進退部４が当該養生プレートｔを介して上側梁フランジ２１の上面を押圧することとしたが、進退部４の先端が上側梁フランジ２１の上面に当接した状態で直接上側梁フランジ２１の上面を押圧することも可能である。
【００４９】
次に、本治具１の有効性について、図７に図示した従来の柱持ち上げ用治具１００と対比しながら説明することとする。図７は、従来の柱持ち上げ用治具を示す図であり、図５と対応した図である。
【００５０】
従来の柱持ち上げ用治具１００は、図７に示すように、ベース部１０１と保持部１０２と進退部１０３とを有する。これらの部分は、それぞれ本治具１のうち、対応する部分と同様の機能を担っている。具体的に説明すると、ベース部１０１は、対象柱１０の下端部１２に取り付けられる部分であり、保持部１０２は、進退部１０３を保持する長ナットであり、進退部１０３は、対象柱１０を持ち上げる際に操作されるボルトネジである。
【００５１】
ここで、従来例に係るベース部１０１は、例えば厚板の鋼板からなり、その上面が上側柱フランジ１３の下面に当接した状態で対象柱１０の下端部１２に取り付けられる。また、ベース部１０１が上記の状態にあるとき、進退部１０３は、その中心軸が鉛直方向に沿った状態で保持部１０２により保持されている。
【００５２】
そして、ベース部１０１が上側柱フランジ１３の下面に当接した状態で進退部１０３を操作し、当該進退部１０３の先端が上側梁フランジ２１の上面に載置された養生プレートｔに当接する位置まで進退部１０３を下方に向かって移動させる。その後、進退部１０３を引き続き操作し、保持部１０２の下端からの突出量が更に増加するように進退部１０３を移動させると、進退部１０３の先端が養生プレートｔを介して上側梁フランジ２１の上端を押圧するようになる。これに伴って、上側柱フランジ１３の下面とベース部１０１の頂面との間には上向きの反力が生じ、この反力によって上側柱フランジ１３が押し上げられる。
【００５３】
一方、ベース部１０１は、上記の反力とは反対向きの抗力（すなわち、下向きの力）を上側柱フランジ１３から受けるようになる。この抗力によって従来の柱持ち上げ用治具１００全体が図７中の矢印方向に回転する。このように治具全体が回転してしまうと、進退部１０３の先端が養生プレートｔ上を滑り、やがて進退部１０３の先端が上側梁フランジ２１の上面から離れるために上記の反力が得られなくなり、この結果、対象柱１０が持ち上がらなくなってしまう（厳密には、持ち上げられていた状態の対象柱１０が自重落下してしまう）。
【００５４】
これに対して、本実施形態に係る柱持ち上げ用治具（すなわち、本治具１）であれば、ベース部２が上側柱フランジ１３及び下側柱フランジ１４の間に挟み込まれた状態で固定されているため、従来例のように治具全体が回転するような状況を回避することが可能である。また、本治具１に備えられた進退部４は、下端に向かうに連れてベース部２の前端に近付くように傾斜している。したがって、図７に図示した矢印方向と同じ方向に本治具１が仮に回転したとしても、進退部４の先端が上側梁フランジ２１の上面を押圧している状態を維持することが可能となる。このように
進退部４がその先端にて上側梁フランジ２１の上面を押圧している状態が良好に維持される結果、対象柱１０を持ち上げるための力（すなわち、反力）を安定させ、以て、当該対象柱１０を適切に持ち上げることが可能となる。
【００５５】
以上までに本実施形態に係る柱持ち上げ用治具の構成について説明してきたが、上記の内容は、あくまでも一例であり、他の構成が考えられる。例えば、上記の実施形態では、ベース部２の前端が傾斜面であることとしたが、これに限定されるものではなく、ベース部２の前端が当該ベース部２の高さ方向に沿った面（すなわち、底面から垂直に延出した面）であってもよい。
【００５６】
また、上記の実施形態では、進退部４がボルトネジによって構成されていることとした。ただし、進退部４については、ベース部２の底面からの突出量が変化するように進退可能なものであればよく、例えばノック式の進退構造を採用した部品を進退部４として利用してもよい。
【００５７】
また、上記の実施形態では、ベース部２が厚肉の平板鋼材によって構成されており、その形状が下面視で略Ｕ字状となっていることとした。ただし、これに限定されるものではなく、ベース部２がブロック体によって構成されていてもよい。
【００５８】
また、上記の実施形態では、持ち上げられる柱部材（すなわち、対象柱１０）が外壁パネルを支持する機能を有することとした。ただし、これに限定されるものではなく、持ち上げられる柱部材は、外壁パネルを支持する機能を備えていないものであってもよく、例えば、柱としての通常の機能のみを有するものであってもよい。
【符号の説明】
【００５９】
１  本治具（柱持ち上げ用治具）
２  ベース部
２ａ  後壁
２ｂ  側壁
３  保持部
４  進退部
４ａ  先端部
１０  対象柱（柱部材）
１１  柱本体
１２  下端部
１３  上側柱フランジ（フランジ）
１４  下側柱フランジ（フランジ）
１５  柱ウェブ
１６  パネル取り付けプレート（支持部）
１７  ボルト（締結具）
１８  フックボルト（支持部品）
２０  梁部材
２１  上側梁フランジ
２２  下側梁フランジ
２３  梁ウェブ
２４  パネル固定プレート
２５  固定ボルト
３０  床パネル
１００  従来の柱持ち上げ用治具
１０１  ベース部
１０２  保持部
１０３  進退部
Ｐｕ  上方パネル（外壁パネル）
Ｐｌ  下方パネル
Ｓ  フランジ間スペース
ｔ  養生プレート
【図１】
0006647938.tif 000002
【図２】
0006647938.tif 000003
【図３】
0006647938.tif 000004
【図４】
0006647938.tif 000005
【図５】
0006647938.tif 000006
【図６】
0006647938.tif 000007
【図７】
0006647938.tif 000008